(57)【要約】【課題】  異常が発生したとき、自動的に原稿を排出する画像形成装置を提供する。【解決手段】  原稿の読み取り中に、画像形成装置内に異常が発生し、一連のジョブの途中で電源が強制的にオフされる前に、読み取り中の原稿を全て読み取り、その後、画像形成装置内に残存する読み取り中の原稿を排紙した上で、画像形成装置の電源をオフすることにより、再起動時のジャムの発生を防止でき、かつ異常が発生した後、画像形成装置を再起動させる際、ユーザはジャム処理等を行わずに画像形成装置を起動させることができる。【選択図】  図１
2006217514.tif 000002
【特許請求の範囲】
【請求項１】
原稿を読み取る読取手段を有する画像形成装置において、
前記読取手段による原稿読取中に異常が発生した場合、自装置内に残る原稿を排出する排出手段と、
前記原稿が排出された後、電源をＯＦＦする終了手段とを有することを特徴とする画像形成装置。
【請求項２】
前記終了手段は、読取中の原稿の読み取りが終了し、かつ該原稿が排出された後、電源をＯＦＦすることを特徴とする請求項１記載の画像形成装置。
【請求項３】
前記終了手段は、原稿台に載置された全ての原稿の読み取りが終了し、かつ全ての原稿が排出された後、電源をＯＦＦすることを特徴とする請求項１記載の画像形成装置。
【請求項４】
前記読取手段による原稿読取中に異常が発生した場合、前記読取手段に異常があるか否かを検出する検出手段を有し、
前記検出手段によって前記読取手段に異常があることが検出されたとき、前記読取手段は読取中の原稿の読み取りを中止することを特徴とする請求項１から３のいずれか１項記載の画像形成装置。
【請求項５】
前記読取手段によって読み取られた原稿の画像データを記憶する記憶手段と、
電源がＯＮされたとき、前記記憶手段に異常の発生により出力されなかった前記画像データが記憶されているか否かを判断する判断手段と、
前記判断手段によって前記記憶手段に異常の発生により出力されなかった前記画像データが記憶されていると判断されたとき、その旨を通知する通知手段とを有することを特徴とする請求項１から４のいずれか１項記載の画像形成装置。
【請求項６】
前記通知手段が異常の発生により出力されなかった前記画像データが記憶されている旨のメッセージを表示することを特徴とする請求項５記載の画像形成装置。
【請求項７】
前記通知手段が異常の発生により出力されなかった前記画像データが記憶されている旨を音声により報知することを特徴とする請求項５記載の画像形成装置。
【発明の詳細な説明】
【技術分野】
【０００１】
本発明は、画像形成装置に関し、特に、異常が発生したとき、自動的に原稿を排出する画像形成装置に関する。
【背景技術】
【０００２】
近年、画像形成装置の高速化が進んでいる。それに伴い、大量の原稿を処理するジョブが増えているが、ジョブの途中になんらかの異常が発生すると、通常の複写機においては異常を解除、修理するために電源をオフすることが多い。そのため、ジョブの途中にある作業の全てが強制的に終了する。そして、利用者による異常を回避するメンテナンス、及び再起動の指示を受けて複写機は、再び作動する。
【０００３】
また、従来の画像形成装置においては、異常が発生し、その動作が強制的に終了させられた場合、ユーザは再起動させる際に再び好みの設定に変更しなければならない。さらに、読み取り途中にあった画像データ等は、画像形成装置内に保持されないため、再び最初から原稿の読み取りを行なわなければならなかった。特に、大量の原稿を印刷する場合、作業効率の著しい低下が問題となっていた。
【０００４】
特許文献１では、情報処理装置の動作エラー検知時にエラー検知信号を出力し、このエラー検知信号の受信を契機に当該情報処理装置の電源ユニットをオフし、一定時間経過後この電源ユニットをオンすることにより、人為的に電源ユニットをオンオフする必要が無く、操作性が格段に向上した情報処理装置のリブート方式が提案されている。
【０００５】
特許文献２では、通常の複写モードで使用中に異常が発生した場合に画像登録モードに切り換え、それまでの複写モードや画像データを登録し、異常が解除されてから登録した内容を呼び出して複写動作を再開したり、通常の複写モードで使用中に異常が発生した場合に画像登録モードに切り換え、それまでの複写モードや画像データを登録し、接続された外部機器に画像形成に関するモード設定や画像データを送信することにより、異常が発生した画像形成装置以外の画像形成動作を再開し、異常時からのリカバリを容易にして操作性が向上した画像形成装置が提案されている。
【特許文献１】特開平６−１０２９５４号公報
【特許文献２】特開２００２−１９６６２７号公報
【発明の開示】
【発明が解決しようとする課題】
【０００６】
しかし、上記の発明は以下の問題を有している。
【０００７】
特許文献１記載の情報処理装置のリブート方式によれば、エラー検知信号が出力され、該エラー検知信号を契機に該情報処理装置の電源がオフされても、一定時間経過後に自動的に情報処理装置の電源がオンされることにより、ユーザが電源をオンする必要はなくなるが、エラー検知信号の原因となった異常により再びエラーが発生する可能性がある。
【０００８】
特許文献２記載の画像形成装置によれば、異常発生時における複写モードや画像データを保存し、異常が解除された時にそれらの情報を読み出し、複写動作を再開することにより、再びユーザが複写モードの設定や、格納されていた画像データの再度読み取りが必要がなくなるため、異常が発生したときの操作性は向上するが、異常時に画像形成装置内に残存した原稿や印刷紙はユーザが取り除かなければならない。
【０００９】
そこで、本発明は、原稿の読み取り中に、画像形成装置内に異常が発生し、一連のジョブの途中で電源が強制的にオフされる前に、読み取り中の原稿を全て読み取り、その後、画像形成装置内に残存する読み取り中の原稿を排紙した上で、画像形成装置の電源をオフすることにより、再起動時のジャムの発生を防止する画像形成装置を提案することを目的としている。
【課題を解決するための手段】
【００１０】
請求項１記載の発明は、原稿を読み取る読取手段を有する画像形成装置において、前記読取手段による原稿読取中に異常が発生した場合、自装置内に残る原稿を排出する排出手段と、前記原稿が排出された後、電源をＯＦＦする終了手段とを有することを特徴とする。
【００１１】
請求項２記載の発明は、請求項１記載の画像形成装置において、前記終了手段は、読取中の原稿の読み取りが終了し、かつ該原稿が排出された後、電源をＯＦＦすることを特徴とする。
【００１２】
請求項３記載の発明は、請求項１記載の画像形成装置において、前記終了手段は、原稿台に載置された全ての原稿の読み取りが終了し、かつ全ての原稿が排出された後、電源をＯＦＦすることを特徴とする。
【００１３】
請求項４記載の発明は、請求項１から３のいずれか１項記載の画像形成装置において、前記読取手段による原稿読取中に異常が発生した場合、前記読取手段に異常があるか否かを検出する検出手段を有し、前記検出手段によって前記読取手段に異常があることが検出されたとき、前記読取手段は読取中の原稿の読み取りを中止することを特徴とする。
【００１４】
請求項５記載の発明は、請求項１から４のいずれか１項記載の画像形成装置において、前記読取手段によって読み取られた原稿の画像データを記憶する記憶手段と、電源がＯＮされたとき、前記記憶手段に異常の発生により出力されなかった前記画像データが記憶されているか否かを判断する判断手段と、前記判断手段によって前記記憶手段に異常の発生により出力されなかった前記画像データが記憶されていると判断されたとき、その旨を通知する通知手段とを有することを特徴とする。
【００１５】
請求項６記載の発明は、請求項５記載の画像形成装置において、前記通知手段が異常の発生により出力されなかった前記画像データが記憶されている旨のメッセージを表示することを特徴とする。
【００１６】
請求項７記載の発明は、請求項５記載の画像形成装置において、前記通知手段が異常の発生により出力されなかった前記画像データが記憶されている旨を音声により報知することを特徴とする。
【発明の効果】
【００１７】
本発明は、原稿の読み取り中に、画像形成装置内に異常が発生し、一連のジョブの途中で電源が強制的にオフされる前に、読み取り中の原稿を全て読み取り、その後、画像形成装置内に残存する読み取り中の原稿を排紙した上で、画像形成装置の電源をオフすることにより、再起動時のジャムの発生を防止でき、かつ異常が発生した後、画像形成装置を再起動させる際、ユーザはジャム処理等を行わずに画像形成装置を起動させることができる。
【発明を実施するための最良の形態】
【００１８】
以下に本発明の一実施形態に係る画像形成装置の構成及び動作について説明する。
【００１９】
まず、図１を用い本実施形態に係る画像形成装置の構成について説明する。
【００２０】
本実施形態に係る画像形成装置は、自動原稿送り装置（以下、ＡＤＦとする）１、原稿台２、給送ローラ３、給送ベルト４、排送ローラ５、コンタクトガラス６、原稿セット検知７、第１トレイ８、第２トレイ９、第３トレイ１０、第１給紙ユニット１１、第２給紙ユニット１２、第３給紙ユニット１３、縦搬送ユニット１４、感光体１５、搬送ベルト１６、定着ユニット１７、排紙ユニット１８、排紙トレイ１９、読み取りユニット５０、露光ランプ５１、第１ミラー５２、レンズ５３、ＣＣＤイメージセンサ５４、第２ミラー５５、第３ミラー５６、書き込みユニット５７、レーザ出力ユニット５８、結像レンズ５９、ミラー６０、両面搬送ユニット１１１、反転ユニット１１２、両面入紙搬送路１１３、及び反転排紙搬送路１１４を有して構成される。
【００２１】
本実施形態に係る画像形成装置の具体的な動作について説明する。
【００２２】
ＡＤＦ１の原稿台２に原稿の画像面を上にして置かれた原稿束は、操作部３０上のスタートキー３４が押下されると、一番下の原稿から給送ローラ３、給送ベルト４によってコンタクトガラス６上の所定の位置に給送される。なお、本実施形態に係る画像形成装置は、一枚の原稿を給送完了により原稿枚数をカウントアップするカウント機能を有している。給送された原稿は、コンタクトガラス６上に搬送され、読み取りユニット５０によって原稿の画像データが読み取られる。読み取りが終了した原稿は、給送ベルト４及び排送ローラ５によって排出される。さらに、原稿セット検知７にて原稿台２に次の原稿が有ることを検知した場合、前原稿と同様にコンタクトガラス６上に給送される。給送ローラ３、給送ベルト４、排送ローラ５は搬送モータ２６によって駆動される。
【００２３】
第１トレイ８、第２トレイ９、第３トレイ１０に積載された転写紙は、各々第１給紙ユニット１１、第２給紙ユニット１２、第３給紙ユニット１３によって給紙され、縦搬送ユニット１４によって感光体１５に当接する位置まで搬送される。読み取りユニット５０にて読み込まれた画像データは、書き込みユニット５７からのレーザによって感光体１５に書き込まれ、現像ユニット２７を通過することによってトナー像が形成される。そして、転写紙は感光体１５の回転と等速で搬送ベルト１６によって搬送され、感光体１５上のトナー像が転写される。その後、定着ユニット１７にて画像を定着させ、排紙ユニット１８によって排紙トレイ１９に排出される。
【００２４】
転写紙の両面に画像を作像する場合は、各給紙トレイ８〜１０から給紙され作像された転写紙を排紙トレイ１９側に導かないで、両面入紙搬送路１１３に搬送し、反転ユニット１１２でスイッチバック反転し両面搬送ユニット１１１に送る。両面搬送ユニットに送られた用紙は、再度縦搬送ユニット１４に送られて裏面に画像を印刷された後に排紙される。また、転写紙を反転して排出する場合、上記の反転ユニット１１２でスイッチバック反転した用紙を両面ユニットに送らずに反転排紙搬送路１１４に送り出して排紙する。
【００２５】
感光体１５、搬送ベルト１６、定着ユニット１７、排紙ユニット１８、及び現像ユニット２７は、メインモータ２５によって駆動される。各給紙装置１１〜１３は、メインモータ２５の駆動を各々給紙クラッチ２２〜２４によって伝達駆動される。縦搬送ユニット１４はメインモータ２５の駆動を中間クラッチ２１によって伝達駆動される。
【００２６】
次に、原稿読み取りから、画像の書き込みまでの動作について説明する。
【００２７】
読み取りユニット５０は、原稿を載置するコンタクトガラス６と光学走査系で構成されている。光学走査系は、露光ランプ５１、第１ミラー５２、レンズ５３、ＣＣＤイメージセンサ５４等々で構成される。露光ランプ５１及び第１ミラー５２は、第１キャリッジ上に固定され、第２ミラー５５及び第３ミラー５６は第２キャリッジ上に固定されている。原稿像を読み取るときは、光路長が変わらないように、第１キャリッジと第２キャリッジとが２対１の相対速度で機械的に操作される。この光学走査系は、スキャナ駆動モータにて駆動される。原稿画像は、ＣＣＤイメージセンサ５４によって読み取られ、電気信号に変換されて処理される。
【００２８】
書き込みユニット５７は、レーザ出力ユニット５８、結像レンズ５９、及びミラー６０で構成される。レーザ出力ユニット５８の内部には、レーザ光源であるレーザダイオード及びモータによって高速で定速回転する多角形ミラー（ポリゴンミラー）が備わっている。
【００２９】
書き込みユニット５７から出力されるレーザ光が画像作像系の感光体１５に照射される。なお、感光体１５の一端近傍のレーザビームを照射される位置に、主走査同期信号を発生するビームセンサが配置されている。
【００３０】
次に、本実施形態に係る画像形成装置の操作部の構成について図２を用いて説明する。
【００３１】
操作部３０は、液晶タッチパネル３１、テンキー３２、クリア／ストップキー３３、プリントキー３４、及びモードクリアキー３５を有して構成される。液晶タッチパネル３１には、機能キー３７、部数、及び画像形成装置の状態を示すメッセージなどが表示される。
【００３２】
図３は、操作部３０の液晶タッチパネル３１の表示例である。
【００３３】
オペレータが液晶タッチパネル３１に表示されたキーにタッチすることにより、選択された機能を示すキーが黒く反転する。また、機能の詳細を指定する場合（例えば、変倍であれは変倍値等）は、キーにタッチすることにより、詳細機能の設定画面が表示される。このように、液晶タッチパネルは、ドット表示器を使用している為、その時の最適な表示をグラフィカルに行うことが可能である。
【００３４】
次に、本実施形態に係る画像形成装置のメインコントローラを中心とした制御装置の構成について説明する。
【００３５】
メインコントローラ２０は、画像形成装置全体を制御する。メインコントローラ２０には、オペレータに対する表示とオペレータからの機能設定入力制御とを行う操作部３０、スキャナの制御、原稿画像を画像メモリに書き込む制御、画像メモリからの作像を行う制御等を行う画像処理ユニット（ＩＰＵ）４９、原稿自動送り装置（ＡＤＦ）１、等の分散制御装置が接続されている。
【００３６】
また、メインコントローラ２０には、複数の画像形成装置に接続して装置の構成及び機能情報、動作制御に関する情報の送受信を行う連結Ｉ／Ｆ４８が接続されている。メインコントローラ２０は、連結Ｉ／Ｆ４８を介して接続された画像形成装置の情報を獲得し、動作を設定することにより連結動作の制御を行う、もしくは接続された他の画像形成装置からの要求を獲得し自機の動作を制御する。
【００３７】
各分散制御装置とメインコントローラ２０は必要に応じて機械の状態、動作司令のやりとりを行う。また、紙搬送等に必要なメインモータ２５、各種クラッチ２１〜２４も接続されている。
【００３８】
次に、画象処理ユニット（ＩＰＵ）４９の構成及び動作について説明する。
【００３９】
画像処理ユニット４９は、ＣＣＤ５４、Ａ／Ｄコンバータ６１、シェーディング補正部６２、画像処理部６３、変倍処理部７２、セレクタ６４、書き込みγ補正部７１、書き込みユニット５７、ＣＰＵ６８、ＲＯＭ６９、ＲＡＭ７０、メモリコントローラ６５、色変換処理部１００、Ｉ／Ｏポート６７、画像メモリ６６、連結Ｉ／Ｆ４８、及び画像データ７３を有して構成される。
【００４０】
まず、露光ランプ５１から照射された光の反射をＣＣＤイメージセンサ５４が光電変換し、Ａ／Ｄコンバータ６１にてデジタル信号に変換する。デジタル信号に変換された画像信号は、シェーディング補正部６２にてシェーディング補正がなされた後、画像処理部６３にてＭＴＦ補正、γ補正等がなされる。変倍部７２を経由した画像信号は、変倍率に応じて拡大縮小され、セレクタ６４に転送される。セレクタ６４では、画像信号の送り先を、書き込みγ補正部７１または、画像メモリコントローラ６５への切り替えが行われる。書き込みγ補正ユニット７１を経由した画像信号は、作像条件に合わせて書き込みγが補正され、書き込みユニット５７に送られる。
【００４１】
画像メモリコントローラ６５とセレクタ６４間は、双方向に画像信号が入出力可能な構成となっている。また、画像メモリコントローラ６５等への設定や、読み取り部５０書き込み部５７の制御を行うＣＰＵ６８、及びそのプログラムやデータを格納するＲＯＭ６９、ＲＡＭ７０を備えている。更にＣＰＵ６８は、メモリコントローラ６５を介して、画像メモリ６６のデータの書き込み、読み出しが行える。
【００４２】
連結Ｉ／Ｆ４８は、画像情報の送受信のため、メモリコントローラのデータバスに接続され、データの入出力が可能である。画像形成装置間のデータ転送速度に応じて、画像情報は画像メモリ６６を介して転送される。すなわち、画像出力時にはメモリコントローラ６５から画素メモリ６６に画像データを格納した後、画像形成装置間のデータ転送速度に応じて順次画像メモリ６６からデータを読み出して、連結Ｉ／Ｆ４８にデータを転送する。画像出力時には連結Ｉ／Ｆ４８より転送される画像データを画像メモリ６６に格納した後、画像メモリ６６からメモリコントローラ６５を介して装置内部で画像データの処理を行う。上述の構成により、画像形成装置の機能の制約を受けることなく連結動作の実現が可能となる。
【００４３】
原稿画像で画像メモリコントローラ６５へ送られた画像は、画像メモリコントローラ内にある画像圧縮装置によって画像データを圧縮した後、画像メモリ６６に送られる。画像圧縮するのは、最大画像サイズ分の２５６階調のデータをそのまま画像メモリ６６に書き込むことも可能だが、１枚の原稿画像で画像メモリを大変多く使用する。そこで、画像圧縮を行うことにより、限られた画像メモリ６６を有効に利用できる。また、画像圧縮することにより、一度に多くの原稿画像データを記憶することが出来るため、ソート機能として、貯えられた原稿画像イメージデータをページ順に出力できる。この場合、画像を出力する際に画像メモリ６６のデータをメモリコントローラ６５内の伸長装置で順次伸長しながら出力する。本機能は、一般に「電子ソート」と呼ばれている。
【００４４】
また、画像メモリの機能を利用し、複数枚の原稿画像を画像メモリ６６の転写紙一枚分のエリアに分割したエリアに順次読み込むこともできる。例えば、４枚の原稿画像を画像メモリ６６の転写紙一枚分の４等分されたエリアに順次書き込むことにより、４枚の原稿が一枚の転写紙イメージに合成され集約された出力を得ることができる。本機能は、一般に「集約コピー」と呼ばれている。
【００４５】
画像メモリ６６の画像は、ＣＰＵ６８からアクセス可能な構成となっている。このため画像メモリ６６の内容を加工することが可能である。例えば、画像の間引き処理、画像の切り出し処理等が行える。加工には、メモリコントローラ６５のレジスタにデータを書き込むことにより、画像メモリ６６の処理を行うことができる。加工された画像は、再度、画像メモリ６６に保持される。
【００４６】
また、画像メモリ６６の内容をＣＰＵ６８が読み出し、Ｉ／Ｏポート６７を経て、画像データ７３として操作部３０に転送することができる。一般に、操作部３０の画面表示解像度は低い為、画像メモリ６６の原画像は画像間引きが行われ操作部３０に送られる。画像メモリ６６は、多くの画像データを収納するため、ハードディスクが用いることもできる。ハードディスクを用いることにより、外部電源が不用で永久的に画像を保持できる。なお、複数の定型の原稿（フォーマット原稿）をスキャナで読み込み保持するためには、このハードディスクを用いるのが一般的である。
【００４７】
次に、本実施形態に係る画像形成装置において、画像読取動作中に異常が発生した場合における処理について図６を用いて説明する。
【００４８】
本実施形態に係る画像形成装置では、自機のさまざまな異常について検知できる。そして、何らかの異常を検知した場合には異常内容を示すコードを表示し、サービス担当者が異常内容を容易に把握できるようにしている。コールを受けたサービス担当者は異常内容を示すコードから異常個所と原因を判断して機械を修理する。しかし、異常が発生したとき、通常、画像形成装置の電源はオフされるため、読取動作中に何らかの異常が発生した場合には、それまで行った作業が無駄になる。特に、複雑な複写モードを設定し、原稿枚数も多いときには再度複写モードを設定し、原稿を読み取らせるのは、作業効率を低下させる。また、読取中の原稿が画像形成装置内に残存するため、画像形成装置を再起動させる際に人為的に画像形成装置内に残存する原稿を取り出さなければならない。それらの原稿がジャムの発生の原因となる可能性もある。
【００４９】
そこで、本実施形態に係る画像形成装置で異常が発生した場合には自動的に画像登録モードに切り換えて、それまで行った作業を登録し、かつ画像形成装置内に残存する原稿を排出することにより、異常が解除されたときに登録した内容を呼び出して続きから作業を行ったり、登録後、接続されているデジタル複写機２５に登録した内容を送信してデジタル複写機２５で継続して作業を行うことにより再起動に要する時間と手間を省く。以下、この異常発生時の処理について図６を用いて説明する。
【００５０】
通常のコピーモードで複写を行うときは、操作部６により複写モードの設定を行った後、操作部２０のプリントキー３４が押されると（ステップＳ６０１）、ＣＰＵ６８はＡＤＦ１にセットした原稿を読み取らせて画像形成動作を行う（ステップＳ６０２）。このとき読み取った画像データは画像用ＲＡＭ７０と画像メモリ６６に記憶される。そして、ＣＰＵ６８は複写動作中に何らかの異常が発生していないかどうかを常に判断する（ステップＳ６０３）。異常の発生が無い場合には（ステップＳ６０３／ＮＯ）、そのまま画像読取動作を継続する。一方、ＣＰＵ６８で異常が発生したことを検知した場合（ステップＳ６０３／ＹＥＳ）、ＣＰＵ６８は異常の原因が原稿の読み取りに関するものかどうかを判断する（ステップＳ６０４）。
【００５１】
この判断の結果、異常の原因が原稿読み取りに関するものであれば（ステップＳ６０４／ＹＥＳ）、それ以上読み取りを続けることはできないので、画像形成装置内に残っている原稿が全て排出される（ステップＳ６０７）。そして、ＣＰＵ６８は画像形成装置内に原稿が残っているかを判断する（ステップＳ６０８）。原稿の排出動作が完了していないときは（ステップＳ６０８／ＹＥＳ）、排出動作を継続する（ステップＳ６０９）。一方、原稿の排出動作が完了した場合は（ステップＳ６０８／ＮＯ）、画像登録モード処理に移行する（ステップＳ６０９）。画像登録モード処理が完了すると、画像形成装置の電源がオフされる（ステップＳ６１０）。
【００５２】
一方、異常の原因が原稿読み取りに起因するものではないと判断した場合には（ステップＳ６０４／ＮＯ）、原稿の読み取りをそのまま継続し、画像データを画像メモリ６６に格納していく（ステップＳ６０５）。そして、原稿の読取・格納が終了したか否かを判断する（ステップＳ６０６）。原稿の読取・格納が終了していない場合は（ステップＳ６０６／ＮＯ）、読取・格納動作を継続する。原稿の読取・格納が終了した場合は（ステップＳ６０６／ＹＥＳ）、画像形成装置内に残っている原稿を全て排出する（ステップＳ６０７）。そして、ＣＰＵ６８は画像形成装置内に原稿が残っているかを判断する（ステップＳ６０８）。原稿の排出動作が完了していないときは（ステップＳ６０８／ＹＥＳ）、排出動作を継続する（ステップＳ６０７）。一方、原稿の排出動作が完了した場合は（ステップＳ６０８／ＮＯ）、画像登録モード処理に移行する（ステップＳ６０９）。画像登録モード処理が完了すると、画像形成装置の電源がオフされる（ステップＳ６１０）。この画像登録モードの処理では、登録名を入力した後は複写モードの設定やコピー開始キーが押されたかどうかの判断は必要ないので、ＣＰＵ６８は異常時処理としての画像登録のフラグや原稿読み取りを完了しているかどうかのフラグも併せて不揮発性ＲＡＭ７０に書込む。なお、画像登録モードの具体的な説明について後述する。
【００５３】
この異常が解除されたときの動作について図７を用いて説明する。
【００５４】
異常が解除され、再び画像形成装置の電源がオンされると（ステップＳ７０１）、ＣＰＵ６８は図６において説明した異常処理によって画像メモリ６６に格納された画像データがあるか否かを判断する（ステップＳ７０２）。異常処理され、画像メモリ６６に格納された画像データがあると判断された場合は（ステップＳ７０２／ＹＥＳ）、ＣＰＵ６８は画像登録したフラグのある画像データのみを表示した選択画面を操作部３０の液晶タッチパネル３１に表示する（ステップＳ７０３）。なお、異常処理によって画像メモリ６６に格納された画像データがある場合、その旨を液晶タッチパネル３１に表示することもできる。または音声によって報知してもよい。さらに、図９に示すメッセージを表示し、ＡＣＣの実行を促す構成をとってもよい。
【００５５】
この表示されている画像データ一覧からリカバリしたい画像データを選択すると（ステップＳ７０４）、ＣＰＵ６８は不揮発性ＲＡＭ７０に格納した内容を調べ、原稿の読み取りを完了して登録したか原稿読み取り途中で登録したかのフラグを判断して（ステップＳ７０５）、原稿読み取りが完了しないで登録された文書については最後の１ページの画像を自動的に出力して、どのページまで登録されているかを明確にする（ステップＳ７０６）。そして登録してあった複写モードを表示し（ステップＳ７０７）、確認や修正した後に、操作部３０のコピー開始キーが押されると（ステップＳ７０８）、ＣＰＵ６８はＡＤＦ１にセットした続きの原稿を読み取り、すでに登録してある原稿の画像と併せて１つのジョブとして画像形成動作を行う（ステップＳ７０９）。この複写動作が終了したら、他にリカバリをしたいジョブが有れば上記処理を繰り返す（ステップＳ７１０。また、原稿の読み取りが完了しているときは（ステップＳ７０５／ＮＯ）、直ちに複写動作を行う（ステップＳ７１１）。
【００５６】
次に、画像登録モード処理について図８を用いて説明する。なお、本実施形態に係る画像形成装置では、不揮発性ＲＡＭ７０にモード設定が登録され、画像メモリ６６に画像データ登録されるものとする。
【００５７】
原稿の排出が完了し（ステップＳ６０８／ＹＥＳ）、画像登録モードに入ると（ステップＳ８０１）、操作部３０から登録する画像データの名称や登録等のモード設定、原稿読み取り等に係る複写モード設定を行う（ステップＳ８０２）。その後、ＣＰＵ６８は設定された複写モード等を不揮発性ＲＡＭ７０に登録する（ステップＳ８０３）。その後、画像形成装置の電源がオフされる（ステップＳ６１０）。
【００５８】
上述のように、異常が発生した場合、画像形成装置内に残存する原稿を全て排出した後に画像形成装置の電源がオフされるため、再起動された際に残存する原稿をオペレータ等が取り除く必要なく、残存する原稿によるジャム等の異常の発生を防止できる。また、異常時に異常の原因が原稿読み取りに関することでなければ原稿読み取りを継続し、読み取り終了後に複写モードと画像データを登録し、異常が解除されたときに、登録した複写モードと画像データを呼び出して出力作業を行うから、リカバリ作業を非常に容易に行うことができる。また異常解除までに時間がかかっても複写モードと画像データが登録してあるのでオペレータは後で自由に出力でき、異常解除後も複雑な操作を行う必要がなく操作性を高めることができる。また、原稿読み取りに関する異常により原稿読み取りを途中で止めて複写モードと画像データを登録した場合には、リカバリ動作として残りの原稿を読み取らせることが必要となる。このとき最後のページを出力して確認することにより、どのページから読み取らせれば良いのかが明確になり、リカバリ後の作業を容易に行うことができる。
【図面の簡単な説明】
【００５９】
【図１】本実施形態に係る画像形成装置の概略図である。
【図２】操作部の概略図である。
【図３】液晶タッチパネルの表示例である。
【図４】メインコントローラを中心として制御装置の構成を示すブロック図である。
【図５】本実施形態に係る画像形成装置のシステム構成を示すブロック図である。
【図６】異常が発生した時の処理のフローチャートである。
【図７】異常から復旧させる時の処理のフローチャートである。
【図８】画像登録モードの処理のフローチャートである。
【図９】液晶タッチパネルの表示例である。
【符号の説明】
【００６０】
１    ＡＤＦ
２    原稿台
３    給送ローラ
４    給送ベルト
５    排送ローラ
６    コンタクトガラス
７    原稿セット検知
１５    感光体
１６    搬送ベルト
１７    定着ユニット
５０    読取ユニット
５１    露光ランプ
５４    ＣＣＤ
５７    書き込みユニット
５８    レーザ出力ユニット
５９    結像レンズ
【図１】
2006217514.tif 000003
【図２】
2006217514.tif 000004
【図３】
2006217514.tif 000005
【図４】
2006217514.tif 000006
【図５】
2006217514.tif 000007
【図６】
2006217514.tif 000008
【図７】
2006217514.tif 000009
【図８】
2006217514.tif 000010
【図９】
2006217514.tif 000011